【事件の表示】
　特願２０１６−１１８９２７「ＡＣＫ／ＮＡＣＫの伝送方法及びユーザー機器、並びにＡＣＫ／ＮＡＣＫの受信信方法及び基地局」拒絶査定不服審判事件〔平成２８年　９月　８日出願公開、特開２０１６−１６５１６１〕について、次のとおり審決する。
【結　論】
　本件審判の請求は、成り立たない。
【理　由】
第１　手続の経緯
　本願は、２０１１年（平成２３年）１１月２２日（パリ条約による優先権主張外国庁受理　２０１０年１２月２０日　米国、２０１１年２月１３日　米国、２０１１年３月３１日　韓国）を国際出願日とする特願２０１３−５４４３７９号の一部を、平成２８年６月１５日に新たな特許出願としたものであって、その手続の経緯は以下のとおりである。
　平成２９年　６月２２日付け　拒絶理由通知書
　平成２９年　９月１５日　　　意見書、手続補正書の提出
　平成３０年　２月２６日付け　拒絶査定
　平成３０年　６月２９日　　　拒絶査定不服審判の請求、手続補正書の提
　　　　　　　　　　　　　　　出
第２　平成３０年６月２９日にされた手続補正についての補正の却下の決定
［補正の却下の決定の結論］
　平成３０年６月２９日にされた手続補正（以下、「本件補正」という。）を却下する。
［理由］
１．補正の概要
　本件補正は、平成２９年９月１５日にされた手続補正により補正された特許請求の範囲の請求項１に記載された
「　無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法であって、前記方法は、
　ＡＣＫ／ＮＡＣＫ反復情報を受信することと、
　サブフレームｎ−４においてＰＤＣＣＨ（Ｐｈｙｓｉｃａｌ　Ｄｏｗｎｌｉｎｋ　Ｃｏｎｔｒｏｌ　ＣＨａｎｎｅｌ）を受信することと、
　サブフレームｎから始めてＮｒｅｐ個の連続したサブフレームの各々において２つのアンテナポートを通して前記ＰＤＣＣＨに関連付けられた前記ＡＣＫ／ＮＡＣＫ情報を伝送することであって、Ｎｒｅｐは、１よりも大きい整数である、ことと
　を含み、
　前記ＡＣＫ／ＮＡＣＫ情報は、前記サブフレームｎにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースｎ（１）ＰＵＣＣＨ，１を用いて前記２つのアンテナポートのうちの一方のアンテナポート（アンテナポートｐ０）を通して、および、第２のＰＵＣＣＨリソースｎ（１）ＰＵＣＣＨ，２を用いて前記２つのアンテナポートのうちの他方のアンテナポート（アンテナポートｐ１）を通して、伝送され、ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、ｎＣＣＥは、前記ＰＤＣＣＨのＣＣＥ（Ｃｏｎｔｒｏｌ　Ｃｈａｎｎｅｌ　Ｅｌｅｍｅｎｔ）インデックスの中の最も低いＣＣＥインデックスであり、Ｎ（１）ＰＵＣＣＨは、上位レイヤーによって設定され、
　前記ＡＣＫ／ＮＡＣＫ情報は、サブフレームｎ＋１〜サブフレームｎ＋Ｎｒｅｐ−１の各々において、第３のＰＵＣＣＨリソースｎ（１）ＰＵＣＣＨ，３を用いて前記アンテナポートｐ０を通して、および、第４のＰＵＣＣＨリソースｎ（１）ＰＵＣＣＨ，４を用いて前記アンテナポートｐ１を通して、伝送され、ｎ（１）ＰＵＣＣＨ，３、ｎ（１）ＰＵＣＣＨ，４は、前記ＡＣＫ／ＮＡＣＫ反復情報によって、それぞれ、前記アンテナポートｐ０、前記アンテナポートｐ１に対して設定される、方法。」
という発明（以下、「本願発明」という。）を、
「　
ＴＤＤ（Ｔｉｍｅ　Ｄｉｖｉｓｉｏｎ　Ｄｕｐｌｅｘ）を用いて
　ＡＣＫ／ＮＡＣＫ反復
の回数Ｎｒｅｐを指示する
を含むＲＲＣ（Ｒａｄｉｏ　Ｒｅｓｏｕｒｃｅ　Ｃｏｎｔｒｏｌ）メッセージ
　
少なくとも１つの下りリンク
ムに
　
特定の上りリンク
ムか
上りリンク
　を含み、
　前記ＡＣＫ／ＮＡＣＫ情報は、前記
特定の上りリンク
ムに
のア
０を
のア
１を
は、
および
を加算することによって決定され
は、
，１に１を加算することによって決定され
　前記ＡＣＫ／ＮＡＣＫ情報は、
前記Ｎｒｅｐ個の連続した上りリンクサブフレームのうちの前記特定の上りリンクサブフレーム以外の残りの上りリンクサブフレーム
ＲＲＣメッセージ
という発明とすることを含むものである（下線は新たに追加された補正箇所を示すものとして請求人が付与したものである。）。
２．補正の適否
（１）新規事項の有無、シフト補正の有無、目的要件
　請求項１についての上記補正は、本件補正前の「ｎ（１）ＰＵＣＣＨ，１＝ｎＣＣＥ＋Ｎ（１）ＰＵＣＣＨであり、ｎ（１）ＰＵＣＣＨ，２＝ｎＣＣＥ＋１＋Ｎ（１）ＰＵＣＣＨであり、」について、「ｎ（１）ＰＵＣＣＨ，１は、ｎＣＣＥおよびＮ（１）ＰＵＣＣＨを加算することによって決定され、ｎ（１）ＰＵＣＣＨ，２は、Ｎ（１）ＰＵＣＣＨ，１に１を加算することによって決定され」と補正するものである。
　また、請求項１についての上記補正は、本件補正前の「サブフレームｎ−４においてＰＤＣＣＨ（Ｐｈｙｓｉｃａｌ　Ｄｏｗｎｌｉｎｋ　Ｃｏｎｔｒｏｌ　ＣＨａｎｎｅｌ）を受信する」について、「少なくとも１つの下りリンクサブフレームおいてＰＤＣＣＨ（Ｐｈｙｓｉｃａｌ　Ｄｏｗｎｌｉｎｋ　Ｃｏｎｔｒｏｌ　ＣＨａｎｎｅｌ）を受信する」と補正するものである。
ア　「Ｎ（１）ＰＵＣＣＨ，１」は請求項１に定義が記載されておらず、当初明細書等にも記載されていない。
　ここで、「Ｎ」と「ｎ」について、本願明細書では、段落８３において【数１】に関して「ｎ（１）ＰＵＣＣＨは、ＰＵＣＣＨフォーマット１／１ａ／１ｂのためのＰＵＣＣＨリソースインデックスを表し、Ｎ(１)ＰＵＣＣＨは、上位レイヤーから伝達されたシグナリング値を表す。ｎＣＣＥは、ＰＤＣＣＨ伝送に用いられたＣＣＥインデックスのうち、最も小さい値を表すことができる。」と記載され、段落８８、８９の【数２】、【数３】に関して「Ｎ(２)ＲＢは、ＰＵＣＣＨフォーマット２／２ａ／２ｂにより使用可能な帯域幅を表し、」「ｎ(２)ＰＵＣＣＨは、ＰＵＣＣＨフォーマット２／２ａ／２ｂのためのＰＵＣＣＨリソースインデックス」と記載され、段落９３に「スロットｎＳ」と記載されている。よって、本願明細書において「ｎ」は変化する値の中の１つの値を表すのに対し、「Ｎ」は決められた値を表しており、異なる意味で使用している。したがって、請求項１の「Ｎ（１）ＰＵＣＣＨ，１」の「Ｎ」も同様の使い分けがされていると解される。
　してみると、補正後の請求項１には「ｎ（１）ＰＵＣＣＨ，１」とは異なる新規の値「Ｎ（１）ＰＵＣＣＨ，１」が導入されている。
　したがって、補正により追加された「Ｎ（１）ＰＵＣＣＨ，１」は、当初明細書等のすべての記載を総合することにより導かれる技術的事項との関係において新たな技術的事項を導入するものであるから、平成３０年６月２９日付け手続補正書でした補正は、当初明細書等に記載した事項の範囲内においてするものとはいえず、特許法第１７条の２第３項に規定する要件を満たしていない。
イ　サブフレームｎからＡＣＫ／ＮＡＣＫ情報を伝送する際に、補正前の請求項１では「サブフレームｎ−４においてＰＤＣＣＨ（Ｐｈｙｓｉｃａｌ　Ｄｏｗｎｌｉｎｋ　Ｃｏｎｔｒｏｌ　ＣＨａｎｎｅｌ）を受信する」と記載されているのに対し、補正後の請求項１では「少なくとも１つの下りリンクサブフレームおいてＰＤＣＣＨ（Ｐｈｙｓｉｃａｌ　Ｄｏｗｎｌｉｎｋ　Ｃｏｎｔｒｏｌ　ＣＨａｎｎｅｌ）を受信する」を補正している。
　補正前の請求項１に係る発明の発明特定事項「サブフレームｎ−４」を補正後の「少なくとも１つの下りリンクサブフレーム」に補正することは「サブフレームｎ−４」を限定するものではない。
　したがって、特許法第１７条の２第５項第２号の特許請求の範囲の減縮とはいえない、また、これらの補正は明らかに、特許法第１７条の２第５項第１号の請求項の削除、特許法第１７条の２第５項第３号の誤記の訂正や特許法第１７条の２第５項第４号の明りょうでない記載の釈明に該当しない。
ウ　サブフレームｎからＡＣＫ／ＮＡＣＫ情報を伝送する際に、ＬＴＥのＦＤＤによる通信の場合はサブフレームｎ−４においてＰＤＣＣＨを受信するのに対し、ＬＴＥのＴＤＤによる通信の場合はサブフレームｎ−ｋにおいてＰＤＣＣＨを受信し、ｋは常に４ではないことは技術常識であるから、補正前の請求項１に係る発明はＦＤＤを用いる無線通信システムであるのに対し、補正後の請求項１に係る発明はＴＤＤを用いる無線通信システムとなっている。
　ＦＤＤを用いる無線通信システムとＴＤＤを用いる無線通信システムとは異なる無線通信システムであり、ＡＣＫ／ＮＡＣＫ情報の伝送方法が異なるものであるから、別発明であり、特許法第３７条の発明の単一性の要件を満たす一群の発明に該当するものではない。
　したがって、本件補正後の請求項１に係る発明は、本件補正前の特許をすることができないものか否かについての判断が示された発明と、特許法第３７条の発明の単一性の要件を満たす一群の発明に該当するものではない。このため、本件補正は、特許法第１７条の２第４項の規定を満たしていない。
エ　したがって、本件補正は、特許法第１７条の２第３項ないし第５項の規定に違反するものである。
（２）独立特許要件
　上記（１）のとおり、本件補正は特許法第１７条の２第３項ないし第５項の規定に違反するものであるが、更に進めて、仮に特許請求の範囲の減縮を目的とするものに該当するものとして、本件補正後の請求項１に記載された発明が特許出願の際独立して特許を受けることができるものであるか（特許法第１７条の２第６項において準用する特許法第１２６条第７項の規定に適合するか）についても、以下に検討する。
ア　特許法第３６条第６項第１号又は第２号について
（ア）請求項１において、「Ｎ（１）ＰＵＣＣＨ，１」が発明の詳細な説明には記載されていないことから、請求項１に係る発明と明細書の対応関係が不明である。
（イ）請求項１において、「Ｎ（１）ＰＵＣＣＨ，１」は請求項に定義が記載されておらず、発明として不明確である。
（ウ）したがって、本件出願は、請求項１の記載が特許法第３６条第６項第１号又は第２号に規定する要件を満たしていないため、特許出願の際独立して特許を受けることができない。
イ　特許法第２９条第２項について
（ア）本願補正発明
　上述のとおり、「Ｎ（１）ＰＵＣＣＨ，１」は新規事項であり、不明確であり、発明の詳細な説明との対応関係が不明であることから、明細書段落１７２の【数６】及び段落１７３の【数７】を参酌し、「Ｎ（１）ＰＵＣＣＨ，１」が「ｎ（１）ＰＵＣＣＨ，１」の誤記として、本件補正後の請求項１に係る発明は、次のとおりのものと認める（以下、「本願補正発明」という。）。
「　ＴＤＤ（Ｔｉｍｅ　Ｄｉｖｉｓｉｏｎ　Ｄｕｐｌｅｘ）を用いて無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法であって、前記方法は、
　ＡＣＫ／ＮＡＣＫ反復の回数Ｎｒｅｐを指示する情報を含むＲＲＣ（Ｒａｄｉｏ　Ｒｅｓｏｕｒｃｅ　Ｃｏｎｔｒｏｌ）メッセージを受信することと、
　少なくとも１つの下りリンクサブフレームにおいてＰＤＣＣＨ（Ｐｈｙｓｉｃａｌ　Ｄｏｗｎｌｉｎｋ　Ｃｏｎｔｒｏｌ　ＣＨａｎｎｅｌ）を受信することと、
　特定の上りリンクサブフレームから始めてＮｒｅｐ個の連続した上りリンクサブフレームの各々において２つのアンテナポートを通して前記ＰＤＣＣＨに関連付けられた前記ＡＣＫ／ＮＡＣＫ情報を伝送することであって、Ｎｒｅｐは、１よりも大きい整数である、ことと
　を含み、
　前記ＡＣＫ／ＮＡＣＫ情報は、前記特定の上りリンクサブフレームにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースｎ（１）ＰＵＣＣＨ，１を用いて前記２つのアンテナポートのうちのアンテナポートｐ０を通して、および、第２のＰＵＣＣＨリソースｎ（１）ＰＵＣＣＨ，２を用いて前記２つのアンテナポートのうちのアンテナポートｐ１を通して、伝送され、ｎ（１）ＰＵＣＣＨ，１は、ｎＣＣＥおよびＮ（１）ＰＵＣＣＨを加算することによって決定され、ｎ（１）ＰＵＣＣＨ，２は、
ｎ
　前記ＡＣＫ／ＮＡＣＫ情報は、前記Ｎｒｅｐ個の連続した上りリンクサブフレームのうちの前記特定の上りリンクサブフレーム以外の残りの上りリンクサブフレームにおいて、第３のＰＵＣＣＨリソースｎ（１）ＰＵＣＣＨ，３を用いて前記アンテナポートｐ０を通して、および、第４のＰＵＣＣＨリソースｎ（１）ＰＵＣＣＨ，４を用いて前記アンテナポートｐ１を通して、伝送され、ｎ（１）ＰＵＣＣＨ，３、ｎ（１）ＰＵＣＣＨ，４は、前記ＲＲＣメッセージによって、それぞれ、前記アンテナポートｐ０、前記アンテナポートｐ１に対して設定される、方法。」
（イ）引用例に記載された事項及び引用発明
　原査定の拒絶の理由で引用されたMotorola，Introduction of Rel-10 
LTE-Advanced
ＬＴＥアドバンスト
ａ　「Using the PUCCH formats defined in section 5.4.1 and 5.4.2 in [3], the following combinations of uplink control information on PUCCH are supported: 
（中略）
-Format 1b for up to 4-bit HARQ-ACK with 
channel selection
（当審訳：
　［３］の５．４．１節及び５．４．２節に定義されているＰＵＣＣＨフォーマットが使われ、ＰＵＣＣＨのアップリンクコントロール情報の以下の組み合わせがサポートされる。
（中略）
−ＵＥが複数のサービングで構成されている場合、あるいはＴＤＤでＵＥが１つのサービングセルで構成されている場合の
チャネル選択
ｂ　「A UE is configured by higher layers to transmit HARQ-ACK on one antenna port (p = p0) or 
two antenna ports (p ∈[p0, p1])
（当審訳：
　ＵＥは、１つのアンテナポート(p = p0)あるいは
２つのアンテナポート(p∈[p0, p1])
ｃ　「
For FDD and one configured serving cell, the UE shall use PUCCH resource n
(1,p)
PUCCH
 for transmission of HARQ-ACK in subframe n on antenna port p for PUCCH format 1a/1b,
-
for a PDSCH transmission indicated by the detection of a corresponding PDCCH in subframe n-4 on the primary cell,
the UE shall use n
(1,p=p0)
PUCCH
 = n
CCE
 + N
(1)
PUCCH
 , where n
CCE
 is the number of the first CCE (i.e. lowest CCE index used to construct the PDCCH) used for transmission of the corresponding DCI assignment and N
(1)
PUCCH 
is configured by higher layers. For two antenna port transmission the PUCCH resource for p = p1 is given by n
(1,p=p1)
PUCCH
 = n
CCE
 +1 + N
(1)
PUCCH
.
（当審訳：
　
ＦＤＤ及び１つの構成されたサービングセルの場合
ＵＥは、サブフレームｎにおいてアンテナポートｐでＰＵＣＣＨフォーマット１ａ／１ｂのＨＡＲＱ−ＡＣＫの伝送のためにＰＵＣＣＨリソースｎ
（１，ｐ）
ＰＵＣＣＨ
を使用する。
−
プライマリセルのサブフレームｎ−４において対応するＰＤＣＣＨの検出によって示されるＰＤＳＣＨ伝送に対して
ＵＥはｎ
（１，ｐ＝ｐ０）
ＰＵＣＣＨ
＝ｎ
ＣＣＥ
＋Ｎ
（１）
ＰＵＣＣＨ
を使う。ここでｎ
ＣＣＥ
 は対応するＤＣＩ割り当ての伝送に使用される最初のＣＣＥ（すなわち、ＰＤＣＣＨを構成するために使用される最低のＣＣＥインデックス）の番号であり、Ｎ
（１）
ＰＵＣＣＨ
はより上位レイヤーによって構成される。２アンテナポート伝送の場合、 ｐ＝ｐ１のためのＰＵＣＣＨリソースは ｎ
（１，ｐ＝ｐ１）
ＰＵＣＣＨ
＝ｎ
ＣＣＥ
＋１＋Ｎ
（１）
ＰＵＣＣＨ
によって与えられる。
ｄ　「
For TDD ACK/NACK bundling
the UE shall use PUCCH resource n
(1,p)
PUCCH
 for transmission of HARQ-ACK in subframe n on antenna port p for PUCCH format 1a/1b, where 
-
If there is PDSCH transmission on the primary cell indicated by the detection of corresponding PDCCH
shall use  n
(1,p=p0)
PUCCH
 = (M-m-1)・N
c
 +m・N
c+1
 +n
CCE
 + N
(1)
PUCCH
  ,where N
(1)
PUCCH
 is configured by higher layers,
n
CCE
 is the number of the first CCE used for transmission of the corresponding PDCCH in subframe n-k
m
For two antenna port transmission the PUCCH resource for ACK/NACK bundling p=p1 is given by 
n
(1,p=p1)
PUCCH
 = (M-m-1)・N
c
 +m・N
c+1
 +n
CCE
 + 1+N
(1)
PUCCH
 
（当審訳：
　
ＴＤＤのＡＣＫ／ＮＡＣＫバンドリング
のために、ＵＥは、サブフレームｎにおいてアンテナポートｐでＰＵＣＣＨフォーマット１ａ／１ｂのＨＡＲＱ−ＡＣＫの伝送のためにＰＵＣＣＨリソースｎ
（１，ｐ）
ＰＵＣＣＨ
を使用する、ここで、
−
対応するＰＤＣＣＨの検出によって示されるプライマリセル上でＰＤＳＣＨ伝送がある
なら
ｎ
（１，ｐ＝ｐ０）
ＰＵＣＣＨ
＝（Ｍ−ｍ−１）・Ｎ
ｃ
＋ｍ・Ｎ
ｃ＋１
＋ｎ
ＣＣＥ
＋Ｎ
（１）
ＰＵＣＣＨ
を使用する（ここでＮ
（１）
ＰＵＣＣＨ
は上位レイヤーによって構成され
ｎ
ＣＣＥ
はサブフレームｎ−ｋ
ｍ
と対応するｍに関連するＰＤＣＣＨの伝送のために使われた最初のＣＣＥの値であり、
２アンテナポート伝送の場合、ＡＣＫ／ＮＡＣＫバンドリングＰ＝Ｐ１用のＰＵＣＣＨリソースはｎ
（１，ｐ＝ｐ１）
ＰＵＣＣＨ
＝（Ｍ−ｍ−１）・Ｎ
ｃ
＋ｍ・Ｎ
ｃ＋１
＋ｎ
ＣＣＥ
＋１＋Ｎ
（１）
ＰＵＣＣＨ
によって与えられる。
ｅ　「ACK/NACK repetition is enabled or disabled by a UE specific parameter ackNackRepetition configured by higher layers. Once enabled, the UE shall repeat any ACK/NACK transmission with a repetition factor NANRep , where 
N
ANRep
 is provided by higher layers
 For a PDSCH transmission with a corresponding PDCCH detected
the UE shall first transmit the corresponding ACK/NACK response once using PUCCH resource derived from the corresponding PDCCH CCE index (as described in Section 10.1), and repeat the transmission of the corresponding ACK/NACK response N
ANRep
−1 times always using PUCCH resource n
(1,p)
PUCCH,ANRep
, where n
(1,p)
PUCCH,ANRep
 is configured by higher layers. 
For TDD, ACK/NACK repetition is only applicable for ACK/NACK bundling and is not applicable for ACK/NACK multiplexing.editor’s note: To be determined whether the configured resource that is used for ACK/NACK repetition is only for antenna port p = p0 .」（８９ページ下から４行〜９０頁９行）
（当審訳：
　ＡＣＫ／ＮＡＣＫ反復は、上位層によって構成されたＵＥ特有のパラメータａｃｋＮａｃｋＲｅｐｅｔｉｔｉｏｎによって有効又は無効にされる。いったん有効にされると、ＵＥはＡＣＫ／ＮＡＣＫ反復が上位レイヤーによって無効にされるまで反復しファクタＮＡＮＲｅｐで任意のＡＣＫ／ＮＡＣＫ伝送を反復する、
Ｎ
ＡＮＲｅｐ
は上位レイヤーによって提供され
対応するＰＤＣＣＨが検出されたＰＤＳＣＨ伝送
に対して、ＵＥは最初に(セクション１０．１に述べられているように)対応するＰＤＣＣＨ ＣＣＥインデックスから導出されたＰＵＣＣＨリソースを使用して対応するＡＣＫ／ＮＡＣＫ応答を１回伝送する、そして上位レイヤーで構成されるｎ
（１，ｐ）
ＰＵＣＣＨ，ＡＮＲｅｐ
であるＰＤＣＣＨ リソースｎ
（１，ｐ）
ＰＵＣＣＨ，ＡＮＲｅｐ
をいつも使って Ｎ
ＡＮＲｅｐ
−１ 回対応するＡＣＫ／ＮＡＣＫ応答の伝送を反復する。
　ＴＤＤの場合、ＡＣＫ／ＮＡＣＫ反復はＡＣＫ／ＮＡＣＫバンドリングにのみ適用可能であり、ＡＣＫ／ＮＡＣＫ多重化には適用できない。＜編集者注：ＡＣＫ／ＮＡＣＫの反復に使用される構成済みリソースがアンテナポート ｐ＝ｐ０専用であるかどうかが決定される＞）
ｆ　「10.2 Uplink ACK/NACK timing 
For FDD, 
If ACK/NACK repetition is enabled, 
・
shall transmit only the ACK/NACK response (corresponding to the detected PDSCH transmission in subframe n-4 ) on PUCCH in subframes n , n +1, …, n + N
ANRep
 -1;
・shall not transmit any other signal in subframes n , n +1, …, n + NANRep -1; and 
・shall not transmit any ACK/NACK response repetitions corresponding to any detected PDSCH transmission in subframes n-3, …, n + NANRep -5.
For TDD, 
If ACK/NACK repetition is enabled, 
 UE: 
・
shall transmit only the ACK/NACK response (corresponding to the detected PDSCH transmission in subframe n-k ) on PUCCH in UL subframe n and the next N
ANRep
 -1 UL subframes denoted as n
1
,…, n
NANRep-1
;
・shall not transmit any other signal in UL subframe n , n1, …, nNANRep-1 ; and 
・shall not transmit any ACK/NACK response repetitions corresponding to any detected PDSCH transmission in subframes ni-k , where k ∈ Ki , Ki is the set defined in Table 10.1-1 corresponding to UL subframe ni , and 1＜＝i ＜＝NANRep-1. 」（９０ページ下から８行〜９１ページ１７行）
（当審訳：
１０．２　アップリンクのＡＣＫ／ＮＡＣＫのタイミング
　
ＦＤＤの場合、
ＡＣＫ／ＮＡＣＫ反復が可能にされている場合
・
サブフレームｎ，ｎ＋１，…，ｎ＋Ｎ
ＡＮＲｅｐ
−１においてＰＵＣＣＨ上で（サブフレームｎ−４において検出されたＰＤＳＣＨ伝送に対応する）ＡＣＫ／ＮＡＣＫ応答のみを伝送するものとする
・サブフレームｎ，ｎ＋１，…，ｎ＋ＮＡＮＲｅｐ−１において他の信号を伝送しない；そして
・サブフレームｎ−３，…，ｎ＋ＮＡＮＲｅｐ−５において検出されたＰＤＳＣＨ伝送に対応するＡＣＫ／ＮＡＣＫ応答の反復を伝送してはならない。
　
ＴＤＤの場合、
ＡＣＫ／ＮＡＣＫ反復が有効になっている場合、
ＵＥは
・ 
ＵＬサブフレームｎとｎ
１
，…，ｎ
ＮＡＮＲｅｐ-1
として示される次のＮ
ＡＮＲｅｐ
−１個のサブフレームのＰＵＣＣＨで（サブフレームｎ−ｋにおいて検出されたＰＤＳＣＨ伝送に対応する）ＡＣＫ／ＮＡＣＫ応答だけを伝送する
・ＵＬサブフレームｎ，ｎ１，…，ｎＮＡＮＲｅｐ−１において他の信号を伝送しない； そして
・サブフレームｎｉ−ｋにおいて検出されたＰＤＳＣＨ伝送に対応するＡＣＫ／ＮＡＣＫ応答の反復を伝送しない。ここでｋ∈ＫｉでＫｉはＵＬサブフレームｎｉに対応する表１０．１−１で定義されるセットで、１＜＝ｉ＜＝ＮＡＮＲｅｐ−１）
　上記の摘記した引用例の記載及び当業者における技術常識からみて、
（ａ）引用例のタイトルにＬＴＥアドバンスと記載されているように、引用例はＬＴＥアドバンスを前提としている。ＬＴＥアドバンスは無線通信システムの通信方式であり、上記ｆの記載にもあるように、ＦＤＤによる通信方式とＴＤＤによる通信方式があることは技術常識である。また、上記ｅの記載によればＵＥのＡＣＫ／ＮＡＣＫ応答の反復伝送方法が記載されている。
　したがって、引用例に記載されたＵＥの伝送方法は「ＦＤＤによる通信方式又はＴＤＤによる通信方式の無線通信システムにおいてＵＥによってＡＣＫ／ＮＡＣＫ応答を伝送する方法」といえる。
（ｂ）上記ｅの記載によれば、ＡＣＫ／ＮＡＣＫ応答の反復回数であるＮＡＮＲｅｐは上位レイヤーによってＵＥに提供されていることから、ＵＥは「ＡＣＫ／ＮＡＣＫ応答の反復回数であるＮＡＮＲｅｐを上位レイヤーで受信する」といえる。
（ｃ）上記ｅの記載によれば、ＰＤＣＣＨ ＣＣＥインデックスを導出するためにはＰＤＣＣＨを受信していることは明らかであるから、ＵＥは「少なくとも１つの下りリンクサブフレームにおいてＰＤＣＣＨを受信する」といえる。
　また、上記ｃの記載によれば、ＵＥは「ＦＤＤの場合には、サブフレームｎ−４においてＰＤＣＣＨを受信」するといえる。
（ｄ）上記ｅの記載によれば、ＮＡＮＲｅｐ回ＡＣＫ／ＮＡＣＫ応答を反復することが記載されており、ＮＡＮＲｅｐが１よりも大きい整数であることは明らかである。そして、上記ｆの記載によれば、ＦＤＤの場合もＴＤＤの場合も連続したサブフレームでＡＣＫ／ＮＡＣＫ応答を伝送することが記載されているといえる。
　また、上記ｃの記載によれば、ＦＤＤの場合には、サブフレームｎ−４のＰＤＣＣＨを受信した場合にはＡＣＫ／ＮＡＣＫ応答が最初に行われるのはサブフレームｎであることは明らかである。
　そして、上記ｂの記載によれば、２つのアンテナポートの場合にはｐはｐ０とｐ１が取りうる値であることが前提として記載されており、ＦＤＤの場合の上記ｅにおけるｐの取りうる値としてはｐ０とｐ１が取りうる値であることは明らかである。したがって、ＦＤＤの場合には２つのアンテナポートを通して連続したサブフレームでＡＣＫ／ＮＡＣＫ応答を伝送していることは明らかである。
　したがって、ＵＥは「ＦＤＤの場合もＴＤＤの場合も特定の上りサブフレームから始めてＮＡＮＲｅｐ個の連続した上りサブフレームの各々においてＡＣＫ／ＮＡＣＫ応答を伝送し、ＮＡＮＲｅｐが１よりも大きい整数であり、ＦＤＤの場合には、サブフレームｎから始めてＮＡＮＲｅｐ個の連続した上りサブフレームの各々において２つのアンテナポートを通してＰＤＣＣＨに関連付けられたＡＣＫ／ＮＡＣＫ応答を伝送する」といえる。
（ｅ）上記ｅの記載によれば、ＵＥは最初の１回目のＡＣＫ／ＮＡＣＫ応答の伝送はセクション１０．１で述べられているＰＤＣＣＨ　ＣＣＥインデックスから導出されたＰＤＣＣＨリソースを使用する。
　ここで、ＦＤＤの場合は、上記（ｄ）で述べたようにＦＤＤの場合には、サブフレームｎ−４のＰＤＣＣＨを受信した場合にはＡＣＫ／ＮＡＣＫ応答が最初に行われるのはサブフレームｎであることは明らかであり、セクション１０．１の記載である上記ｃの記載によれば、ＵＥから伝送される「ＡＣＫ／ＮＡＣＫ応答は、ＦＤＤの場合の最初の１回目のＡＣＫ／ＮＡＣＫ応答の伝送であるサブフレームｎは、アンテナポートｐ０にはＰＵＣＣＨリソースｎ（１，ｐ＝ｐ０）ＰＵＣＣＨ＝ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝ｎＣＣＥ＋１＋Ｎ（１）ＰＵＣＣＨを使用して伝送され、ｎＣＣＥ はＰＤＣＣＨを構成するために使用される最初（最低）のＣＣＥインデックスの番号であり、Ｎ（１）ＰＵＣＣＨはより上位レイヤーによって構成され」ているといえる。
　また、ＴＤＤの場合は、セクション１０．１の記載である上記ｄの記載によれば、ＵＥから伝送される「ＡＣＫ／ＮＡＣＫ応答は、ＴＤＤの場合の最初の１回目のＡＣＫ／ＮＡＣＫ応答の伝送は、アンテナポートｐ０にはＰＵＣＣＨリソースｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝（Ｍ−ｍ−１）・Ｎｃ＋ｍ・Ｎｃ＋１＋ｎＣＣＥ＋１＋Ｎ（１）ＰＵＣＣＨを使用して伝送され、ｎＣＣＥ はＰＤＣＣＨの伝送のために使われた最初のＣＣＥインデックスの番号であり、Ｎ（１）ＰＵＣＣＨはより上位レイヤーによって構成され」ているといえる。
（ｆ）上記（ｄ）で述べたようにＦＤＤの場合には上記ｅにおけるｐの取りうる値としてはｐ０とｐ１が取りうる値であることは明らかである。よって、ＦＤＤの場合に最初の１回目以外のＡＣＫ／ＮＡＣＫ応答の反復伝送では上位レイヤーで構成されるｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを使用することは明らかである。
　したがって、ＦＤＤの場合には、ＵＥは「ＡＣＫ／ＮＡＣＫ応答は、サブフレームｎから始めてＮＡＮＲｅｐ個の連続した上りサブフレームのうちの最初の１回目以外の上りサブフレームにおいて、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを用いて伝送され、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを上位レイヤーによって設定される」ことは明らかである。
　したがって、上記の摘記した引用例の記載及び図面の記載並びに当業者における技術常識からみて、引用例には、次の発明（以下「引用発明」という。）が記載されていると認められる。
（引用発明）
「ＦＤＤによる通信方式又はＴＤＤによる通信方式の無線通信システムにおいてＵＥによってＡＣＫ／ＮＡＣＫ応答を伝送する方法であって、前記方法は、
　ＡＣＫ／ＮＡＣＫ応答の反復回数であるＮＡＮＲｅｐを上位レイヤーで受信することと、
　少なくとも１つの下りリンクサブフレームにおいてＰＤＣＣＨを受信し、ＦＤＤの場合には、サブフレームｎ−４においてＰＤＣＣＨを受信することと、
　ＦＤＤの場合もＴＤＤの場合も特定の上りサブフレームから始めてＮＡＮＲｅｐ個の連続した上りサブフレームの各々においてＡＣＫ／ＮＡＣＫ応答を伝送し、ＮＡＮＲｅｐが１よりも大きい整数であり、ＦＤＤの場合には、サブフレームｎから始めてＮＡＮＲｅｐ個の連続した上りサブフレームの各々において２つのアンテナポートを通してＰＤＣＣＨに関連付けられたＡＣＫ／ＮＡＣＫ応答を伝送する、ことと、
　を含み、
　ＡＣＫ／ＮＡＣＫ応答は、ＦＤＤの場合の最初の１回目のＡＣＫ／ＮＡＣＫ応答の伝送であるサブフレームｎは、アンテナポートｐ０にはＰＵＣＣＨリソースｎ（１，ｐ＝ｐ０）ＰＵＣＣＨ＝ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝ｎＣＣＥ＋１＋Ｎ（１）ＰＵＣＣＨを使用して伝送され、ｎＣＣＥ はＰＤＣＣＨを構成するために使用される最初（最低）のＣＣＥインデックスの番号であり、Ｎ（１）ＰＵＣＣＨはより上位レイヤーによって構成され、
　ＡＣＫ／ＮＡＣＫ応答は、ＴＤＤの場合の最初の１回目のＡＣＫ／ＮＡＣＫ応答の伝送は、アンテナポートｐ０にはＰＵＣＣＨリソースｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝（Ｍ−ｍ−１）・Ｎｃ＋ｍ・Ｎｃ＋１＋ｎＣＣＥ＋１＋Ｎ（１）ＰＵＣＣＨを使用して伝送され、ｎＣＣＥ はＰＤＣＣＨの伝送のために使われた最初のＣＣＥインデックスの番号であり、Ｎ（１）ＰＵＣＣＨはより上位レイヤーによって構成され、
　ＡＣＫ／ＮＡＣＫ応答は、ＦＤＤの場合、サブフレームｎから始めてＮＡＮＲｅｐ個の連続した上りサブフレームのうちの最初の１回目以外の上りサブフレームにおいて、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを用いて伝送され、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを上位レイヤーによって設定される、方法」
（ウ）対比及び判断
　本願補正発明と引用発明を対比すると、
ａ　引用発明の「ＴＤＤによる通信方式」、「ＵＥ」、「ＡＣＫ／ＮＡＣＫ応答」は、それぞれ本願補正発明の「ＴＤＤ（Ｔｉｍｅ　Ｄｉｖｉｓｉｏｎ　Ｄｕｐｌｅｘ）」、「ユーザー機器」、「ＡＣＫ／ＮＡＣＫ（ＡＣＫｎｏｗｌｅｄｇｅｍｅｎｔ／Ｎｅｇａｔｉｖｅ　ＡＣＫ）情報」に相当する。したがって、引用発明はＦＤＤによる通信方式又はＴＤＤによる通信方式であるところ、引用発明の「ＴＤＤによる通信方式の無線通信システムにおいてＵＥによってＡＣＫ／ＮＡＣＫ応答を伝送する方法」は、「ＴＤＤ（Ｔｉｍｅ　Ｄｉｖｉｓｉｏｎ　Ｄｕｐｌｅｘ）を用いて無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法」といえる。
ｂ　引用発明の「ＡＣＫ／ＮＡＣＫ応答の反復回数であるＮＡＮＲｅｐ」は本願補正発明の「ＡＣＫ／ＮＡＣＫ反復の回数Ｎｒｅｐ」に相当する。したがって、引用発明の「ＡＣＫ／ＮＡＣＫ応答の反復回数であるＮＡＮＲｅｐを上位レイヤーで受信すること」は「ＡＣＫ／ＮＡＣＫ反復の回数Ｎｒｅｐを指示する情報を含む情報を受信する」点で本願補正発明と共通する。
ｃ　引用発明の「少なくとも１つの下りリンクサブフレームにおいてＰＤＣＣＨを受信すること」は、本願補正発明の「少なくとも１つの下りリンクサブフレームにおいてＰＤＣＣＨ（Ｐｈｙｓｉｃａｌ　Ｄｏｗｎｌｉｎｋ　Ｃｏｎｔｒｏｌ　ＣＨａｎｎｅｌ）を受信すること」に相当する。
ｄ　引用発明の「特定の上りサブフレーム」は本願補正発明の「上りリンクサブフレーム」に相当するから、引用発明のＴＤＤの場合は「特定の上りサブフレームから始めてＮＡＮＲｅｐ個の連続した上りサブフレームの各々においてＡＣＫ／ＮＡＣＫ応答を伝送し、ＮＡＮＲｅｐが１よりも大きい整数であ」ることから、「特定の上りリンクサブフレームから始めてＮｒｅｐ個の連続した上りリンクサブフレームの各々においてＰＤＣＣＨに関連付けられたＡＣＫ／ＮＡＣＫ情報を伝送することであって、Ｎｒｅｐは、１よりも大きい整数である」点で本願補正発明と共通する。
ｅ　引用発明の「最初の１回目のＡＣＫ／ＮＡＣＫ応答の伝送」は「特定の上りリンクサブフレーム」における伝送といえる。
　また、引用発明の「ｎＣＣＥ」、「Ｎ（１）ＰＵＣＣＨ」は本願補正発明の「ｎＣＣＥ」、「Ｎ（１）ＰＵＣＣＨ」に相当し、引用発明の「ｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨ」は「ｎＣＣＥおよびＮ（１）ＰＵＣＣＨを加算することによって決定」されたものといえ、ｎ（１，ｐ＝ｐ０）ＰＵＣＣＨを第１のＰＵＣＣＨリソースと称することは任意である。
　そして、引用発明において「ｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨ」であるから、引用発明の「ｎ（１，ｐ＝ｐ１）ＰＵＣＣＨ＝（Ｍ−ｍ−１）・Ｎｃ＋ｍ・Ｎｃ＋１＋ｎＣＣＥ＋１＋Ｎ（１）ＰＵＣＣＨ」はｎ（１，ｐ＝ｐ１）ＰＵＣＣＨ＝ｎ（１，ｐ＝ｐ０）ＰＵＣＣＨ ＋１と変形できることから、「第１のＰＵＣＣＨリソースに１を加算することによって決定」されたものといえ、ｎ（１，ｐ＝ｐ１）ＰＵＣＣＨを第２のＰＵＣＣＨリソースと称することは任意である。
　したがって、引用発明の「ＡＣＫ／ＮＡＣＫ応答は、ＴＤＤの場合の最初の１回目のＡＣＫ／ＮＡＣＫ応答の伝送は、アンテナポートｐ０にはＰＵＣＣＨリソースｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝（Ｍ−ｍ−１）・Ｎｃ＋ｍ・Ｎｃ＋１＋ｎＣＣＥ＋１＋Ｎ（１）ＰＵＣＣＨを使用して伝送され、ｎＣＣＥ はＰＤＣＣＨの伝送のために使われた最初のＣＣＥインデックスの番号であり、Ｎ（１）ＰＵＣＣＨはより上位レイヤーによって構成され、」は、「ＡＣＫ／ＮＡＣＫ情報は、特定の上りリンクサブフレームにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースを用いて２つのアンテナポートのうちのアンテナポートｐ０を通して、および、第２のＰＵＣＣＨリソースを用いて前記２つのアンテナポートのうちのアンテナポートｐ１を通して、伝送され、第１のＰＵＣＣＨリソースは、ｎＣＣＥおよびＮ（１）ＰＵＣＣＨを加算することによって決定され、第２のＰＵＣＣＨリソースは、第１のＰＵＣＣＨリソースに１を加算することによって決定され、ｎＣＣＥは、ＰＤＣＣＨのＣＣＥ（Ｃｏｎｔｒｏｌ　Ｃｈａｎｎｅｌ　Ｅｌｅｍｅｎｔ）インデックスの中の最も低いＣＣＥインデックスであり、Ｎ（１）ＰＵＣＣＨは、上位レイヤーによって設定され」の点で本願補正発明と共通する。
　以上を総合すると、本願補正発明と引用発明とは、以下の点で一致し、また、相違している。
　（一致点）
　「ＴＤＤ（Ｔｉｍｅ　Ｄｉｖｉｓｉｏｎ　Ｄｕｐｌｅｘ）を用いて無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法であって、前記方法は、
　ＡＣＫ／ＮＡＣＫ反復の回数Ｎｒｅｐを指示する情報を含む情報を受信することと、
　少なくとも１つの下りリンクサブフレームにおいてＰＤＣＣＨ（Ｐｈｙｓｉｃａｌ　Ｄｏｗｎｌｉｎｋ　Ｃｏｎｔｒｏｌ　ＣＨａｎｎｅｌ）を受信することと、
　特定の上りリンクサブフレームから始めてＮｒｅｐ個の連続した上りリンクサブフレームの各々において前記ＰＤＣＣＨに関連付けられたＡＣＫ／ＮＡＣＫ情報を伝送することであって、Ｎｒｅｐは、１よりも大きい整数である、ことと
　を含み、
　前記ＡＣＫ／ＮＡＣＫ情報は、前記特定の上りリンクサブフレームにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースを用いて２つのアンテナポートのうちのアンテナポートｐ０を通して、および、第２のＰＵＣＣＨリソースを用いて前記２つのアンテナポートのうちのアンテナポートｐ１を通して、伝送され、第１のＰＵＣＣＨリソースは、ｎＣＣＥおよびＮ（１）ＰＵＣＣＨを加算することによって決定され、第２のＰＵＣＣＨリソースは、第１のＰＵＣＣＨリソースに１を加算することによって決定され、ｎＣＣＥは、前記ＰＤＣＣＨのＣＣＥ（Ｃｏｎｔｒｏｌ　Ｃｈａｎｎｅｌ　Ｅｌｅｍｅｎｔ）インデックスの中の最も低いＣＣＥインデックスであり、Ｎ（１）ＰＵＣＣＨは、上位レイヤーによって設定される、方法。」
（相違点１）
　一致点の「ユーザー機器が受信する情報」について、本願補正発明では「ＲＲＣ（Ｒａｄｉｏ　Ｒｅｓｏｕｒｃｅ　Ｃｏｎｔｒｏｌ）メッセージ」で受信しているのに対し、引用発明では上位レイヤーで受信しているが、ＲＲＣメッセージと特定されていない点。
（相違点２）
　一致点の「第１のＰＵＣＣＨリソース」及び「第２のＰＵＣＣＨリソース」について、本願補正発明では「ｎ（１）ＰＵＣＣＨ，１」及び「ｎ（１）ＰＵＣＣＨ，２」であるのに対し、引用発明では「ｎ（１，ｐ＝ｐ０）ＰＵＣＣＨ」及び「ｎ（１，ｐ＝ｐ１）ＰＵＣＣＨ」である点。
（相違点３）
　本願補正発明ではＴＤＤによる通信の場合に、特定の上りリンクサブフレームから始めてＮｒｅｐ個の連続した上りリンクサブフレームの各々において「２つのアンテナポートを通して」前記ＰＤＣＣＨに関連付けられた前記ＡＣＫ／ＮＡＣＫ情報を伝送し、「前記ＡＣＫ／ＮＡＣＫ情報は、前記Ｎｒｅｐ個の連続した上りリンクサブフレームのうちの前記特定の上りリンクサブフレーム以外の残りの上りリンクサブフレームにおいて、第３のＰＵＣＣＨリソースｎ（１）ＰＵＣＣＨ，３を用いて前記アンテナポートｐ０を通して、および、第４のＰＵＣＣＨリソースｎ（１）ＰＵＣＣＨ，４を用いて前記アンテナポートｐ１を通して、伝送され、ｎ（１）ＰＵＣＣＨ，３、ｎ（１）ＰＵＣＣＨ，４は、」「それぞれ、前記アンテナポートｐ０、前記アンテナポートｐ１に対して設定される」のに対し、引用発明のＦＤＤの場合には特定の上りサブフレームから始めてＮＡＮＲｅｐ個の連続した上りサブフレームの各々において、「２つのアンテナポートを通して」ＡＣＫ／ＮＡＣＫ応答を伝送」し、「ＡＣＫ／ＮＡＣＫ応答は、ＦＤＤの場合、最初の１回目以外の上りサブフレームにおいて、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを用いて伝送され、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを上位レイヤーによって設定される」が、ＴＤＤの場合に特定の上りリンクサブフレーム以外の残りの上りリンクサブフレームにおいて「２つのアンテナポートを通して」ＡＣＫ／ＮＡＣＫ応答を伝送することは特定されていない点。
　以下、各相違点について検討する。
（相違点１について）
　ＬＴＥの規格において上位レイヤーによる通信としてＲＲＣメッセージによる通信を行うことは技術常識である。したがって、上位レイヤーによる通信としてＲＲＣメッセージによる通信を採用することは引用発明において自明であるし、当業者が適宜なし得ることである。
（相違点２について）
　本願明細書段落１５３において「ｎ(１)ＰＵＣＣＨ，ｉ（ｉ＝０，…，Ａ−１）は、チャネル選択に使用されるＡ個のＰＵＣＣＨリソースのうち、ｉ番目のＰＵＣＣＨリソースのインデックスを意味する。」と記載されているように、「ｎ(１)ＰＵＣＣＨ，ｉ」はチャネル選択に使用されるＡ個のＰＵＣＣＨリソースであると認められる。
　ここで、チャネル選択を行うことは周知であるところ、引用例にもチャネル選択を用いることが示唆されている（上記（イ）のａ参照）から、引用発明においてチャネル選択を採用することは適宜選択しうる事項にすぎない。そして、チャネル選択においてどのチャネルを使用するかは当業者にとって設計的事項にすぎない。
　よって、引用発明においてチャネル選択を採用し、ＰＵＣＣＨリソース「ｎ（１，ｐ＝ｐ０）ＰＵＣＣＨ」及び「ｎ（１，ｐ＝ｐ１）ＰＵＣＣＨ」を「ｎ（１）ＰＵＣＣＨ，１」及び「ｎ（１）ＰＵＣＣＨ，２」とすることは当業者が適宜なし得ることである。
（相違点３について）
　引用発明のＦＤＤの場合には、ＵＥでは、特定の上りリンクサブフレームから始めて連続した上りリンクサブフレームの各々において「２つのアンテナポートを通して」ＰＤＣＣＨに関連付けられたＡＣＫ／ＮＡＣＫ情報を伝送し、「ＡＣＫ／ＮＡＣＫ応答は、ＦＤＤの場合、サブフレームｎから始めてＮＡＮＲｅｐ個の連続した上りサブフレームのうちの最初の１回目以外の上りサブフレームにおいて、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを用いて伝送され、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを上位レイヤーによって設定される」ことが行われている。
　また相違点２で検討したように、引用発明においてチャネル選択を採用し、「ｎ（１，ｐ＝ｐ０）ＰＵＣＣＨ，ＡＮＲｅｐ」及び「ｎ（１，ｐ＝ｐ１）PUCCH,ＡＮＲｅｐ」を「ｎ（１）ＰＵＣＣＨ，３」及び「ｎ（１）ＰＵＣＣＨ，４」とすることは当業者が適宜なし得ることである。
　したがって、引用発明の最初の１回目以外の上りサブフレームにおいて、ＴＤＤの場合においてもＦＤＤと同様に「２つのアンテナポートを通して」ＰＤＣＣＨに関連付けられたＡＣＫ／ＮＡＣＫ情報を伝送し、「前記ＡＣＫ／ＮＡＣＫ情報は、前記Ｎｒｅｐ個の連続した上りリンクサブフレームのうちの前記特定の上りリンクサブフレーム以外の残りの上りリンクサブフレームにおいて、第３のＰＵＣＣＨリソースｎ（１）ＰＵＣＣＨ，３を用いて前記アンテナポートｐ０を通して、および、第４のＰＵＣＣＨリソースｎ（１）ＰＵＣＣＨ，４を用いて前記アンテナポートｐ１を通して、伝送され、ｎ（１）ＰＵＣＣＨ，３、ｎ（１）ＰＵＣＣＨ，４は、前記ＲＲＣメッセージによって、それぞれ、前記アンテナポートｐ０、前記アンテナポートｐ１に対して設定される」ようにすることは、阻害要因はなく、格別困難なことでもなく、当業者が容易に想到しうることである。
（請求人の主張について）
　ここで、平成３０年６月２９日付け審判請求書において、請求人は、
「引用文献１のＥｄｉｔｏｒ’ｓ　ｎｏｔｅは、ＡＣＫ／ＮＡＣＫ反復のために使用される設定されたリソースがアンテナポートｐ＝ｐ１に対して適用されるということはまだ決定されていないということを明示的に開示しています。従いまして、引用文献１のＥｄｉｔｏｒ’ｓ　ｎｏｔｅから、ＡＣＫ／ＮＡＣＫ反復のために使用される設定されたリソースがアンテナポートｐ＝ｐ１に対して適用されるということを開示していないことは明らかです。」
「第１に、引用文献１のＥｄｉｔｏｒ’ｓ　ｎｏｔｅは、アンテナポートｐ＝ｐ１に対してのＡＣＫ／ＮＡＣＫ反復に関連する問題は３ＧＰＰ規格化の専門家によるさらなる検討および議論が必要であるということを記載しているものですので、引用文献１のＥｄｉｔｏｒ’ｓ　ｎｏｔｅは、アンテナポートｐ＝ｐ１に対するＡＣＫ／ＮＡＣＫ反復に関連する問題は、３ＧＰＰ規格化の専門家の立場から容易に考え付くものではなく解決可能な技術的課題でもないということを示唆するものです。今日、５００人以上の専門家が各３ＧＰＰ規格化会議で集まって３ＧＰＰ規格への新たな特徴の導入について激しく議論しているという事実を考慮すると、引用文献１のＥｄｉｔｏｒ’ｓ　ｎｏｔｅは、将来の３ＧＰＰ規格化会議で何を採用するかということを記載するものに過ぎるものではなく、この問題が解決にあたって非常に困難な技術的課題であって３ＧＰＰ規格化の専門家でさえもＴＤＤの場合でＡＣＫ／ＮＡＣＫ反復のために使用される設定されたリソースがアンテナポートｐ＝ｐ１に対して適用されるか否かを容易に決定することはできないということをも示唆するものです。」
「第２に、引用文献１のＥｄｉｔｏｒ’ｓ　ｎｏｔｅに鑑みれば、当業者は、ＴＤＤについてアンテナポートｐ＝ｐ１に対してＡＣＫ／ＮＡＣＫ反復を適用するという特徴が用いられないと３ＧＰＰ規格化の専門家が決定する可能性があると考え得ます。そのため、引用文献１のＥｄｉｔｏｒ’ｓ　ｎｏｔｅは、３ＧＰＰ規格化会議での議論によってＡＣＫ／ＮＡＣＫ反復のために使用される設定されたリソースがアンテナポートｐ＝ｐ１に対して適用されないことがあり得るということを示唆するものなのです。」
と主張している。
　しかしながら、上記「（イ）引用例に記載された事項及び引用発明」の「ｄ」の記載には、「ＴＤＤの場合、ＡＣＫ／ＮＡＣＫ反復はＡＣＫ／ＮＡＣＫバンドリングにのみ適用可能であり、ＡＣＫ／ＮＡＣＫ多重化には適用できない。 ＜編集者注：ＡＣＫ／ＮＡＣＫの反復に使用される構成済みリソースがアンテナポート ｐ＝ｐ０専用であるかどうかを決定される＞」と記載されているが、これは今後の検討事項を記載したものであって、ＴＤＤの場合にｐ＝ｐ０とｐ＝ｐ１の２アンテナポートでＡＣＫ／ＮＡＣＫ反復を行うことの技術的阻害要因を記載したものではないことから、請求人の主張は採用できない。
　また、本願補正発明の作用効果も、引用発明の奏する作用効果から当業者が予測し得る範囲内のものである。
　そうすると、本願補正発明は、引用発明に基づいて、当業者が容易に発明をすることができたものである。
　以上を総合すると、本願補正発明は、引用発明に基づいて、当業者が容易に発明をすることができたものであるから、特許法第２９条第２項の規定により特許出願の際独立して特許を受けることができない。
３．まとめ
　したがって、本件補正は、特許法第１７条の２第３項ないし第５項の規定に違反するものであり、また、特許法第１７条の２第６項において準用する特許法第１２６条第７項の規定に違反するものであるから、特許法第１５９条第１項において読み替えて準用する特許法第５３条第１項の規定により却下すべきものである。
第３　原査定の拒絶の理由
　原査定の拒絶の理由の概要は、
「この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない」、
というものであり、本件補正前の請求項１に対して引用例が引用されている。
引用例：Motorola，Introduction of Rel-10 LTE-Advanced features in 36.213（当審訳：３６．２１３のリリース１０ＬＴＥアドバンスの特徴の紹介），3GPP TSG-RAN Meeting #63 R1-106557，２０１０年１２月１７日アップロード，インターネット＜URL:http://www.3gpp.org/ftp/tsg_ran/WG1_RL1/TSGR1_63/Docs/R1-106557.zip＞
第３　本願発明について
１．本願発明
　本件補正は、上記のとおり却下されたので、本願の請求項１〜１６に係る発明は、平成２９年９月１５日にされた手続補正により補正された特許請求の範囲の請求項１〜１６に記載された事項により特定されるところ、その請求項１に係る発明は、上記「第２　平成３０年６月２９日にされた手続補正についての補正の却下の決定」の「１．補正の概要」の項目で示した本願発明のとおりのものと認める。
２．引用発明
　引用発明は、上記「第２　平成３０年６月２９日にされた手続補正についての補正の却下の決定」の項中の「２．補正の適否」の「（２）独立特許要件について」の「イ　特許法第２９条第２項について」の「（イ）引用例に記載された事項及び引用発明」の項で認定したとおりである。 
３．対比・判断
　本願発明と引用発明を対比すると、
（１）　引用発明の「ＵＥ」、「ＡＣＫ／ＮＡＣＫ応答」は、それぞれ本願発明の「ユーザー機器」、「ＡＣＫ／ＮＡＣＫ（ＡＣＫｎｏｗｌｅｄｇｅｍｅｎｔ／Ｎｅｇａｔｉｖｅ　ＡＣＫ）情報」に相当する。したがって、引用発明では「無線通信システムにおいてＵＥによってＡＣＫ／ＮＡＣＫ応答を伝送する方法」であるから、「無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法」といえる。
（２）　引用発明の「ＡＣＫ／ＮＡＣＫ応答の反復回数であるＮANRep 」は「ＡＣＫ／ＮＡＣＫ反復情報」といえる。したがって、引用発明の「ＡＣＫ／ＮＡＣＫ応答の反復回数であるＮANRep を上位レイヤーで受信すること」は「ＡＣＫ／ＮＡＣＫ反復情報を受信する」といえる。
（３）　引用発明の「ＦＤＤの場合には、サブフレームｎ−４においてＰＤＣＣＨを受信すること」は、本願発明の「サブフレームｎ−４においてＰＤＣＣＨ（Ｐｈｙｓｉｃａｌ　Ｄｏｗｎｌｉｎｋ　Ｃｏｎｔｒｏｌ　ＣＨａｎｎｅｌ）を受信すること」に相当する。
（４）　引用発明の「ＡＣＫ／ＮＡＣＫ応答の反復回数であるＮANRep 」は本願発明の「Ｎｒｅｐ」に相当することから、引用発明のＦＤＤの場合は「サブフレームｎから始めてＮＡＮＲｅｐ個の連続した上りサブフレームの各々において２つのアンテナポートを通してＰＤＣＣＨに関連付けられたＡＣＫ／ＮＡＣＫ応答を伝送する、ことと」「ＮＡＮＲｅｐが１よりも大きい整数であ」ることは、本願発明の「サブフレームｎから始めてＮｒｅｐ個の連続したサブフレームの各々において２つのアンテナポートを通して前記ＰＤＣＣＨに関連付けられた前記ＡＣＫ／ＮＡＣＫ情報を伝送することであって、Ｎｒｅｐは、１よりも大きい整数である」に相当する。
（５）　引用発明の「最初の１回目のＡＣＫ／ＮＡＣＫ応答の伝送であるサブフレームｎ」は本願発明の「サブルームｎ」に相当する。
　また、引用発明の「ｎＣＣＥ」、「Ｎ（１）ＰＵＣＣＨ」は本願発明の「ｎＣＣＥ」、「Ｎ（１）ＰＵＣＣＨ」に相当することから、引用発明の「ｎＣＣＥ＋Ｎ（１）ＰＵＣＣＨ」は「ｎＣＣＥ＋Ｎ（１）ＰＵＣＣＨ」といえ、ｎ（１，ｐ＝ｐ０）ＰＵＣＣＨを第１のＰＵＣＣＨリソースを称することは任意である。
　そして、引用発明の「ｎＣＣＥ＋１＋Ｎ（１）ＰＵＣＣＨ」は「ｎＣＣＥ＋１＋Ｎ（１）ＰＵＣＣＨ」といえ、ｎ（１，ｐ＝ｐ１）ＰＵＣＣＨを第２のＰＵＣＣＨリソースを称することは任意である。
　したがって、引用発明の「ＡＣＫ／ＮＡＣＫ応答は、ＦＤＤの場合の最初の１回目のＡＣＫ／ＮＡＣＫ応答の伝送であるサブフレームｎは、アンテナポートｐ０にはＰＵＣＣＨリソースｎ（１，ｐ＝ｐ０）ＰＵＣＣＨ＝ｎＣＣＥ＋Ｎ（１）ＰＵＣＣＨを使用して伝送され、アンテナｐ１にはＰＵＣＣＨリソースｎ（１，ｐ＝ｐ１）ＰＵＣＣＨ＝ｎＣＣＥ＋１＋Ｎ（１）ＰＵＣＣＨを使用して伝送され、ｎＣＣＥ はＰＤＣＣＨを構成するために使用される最初（最低）のＣＣＥインデックスの番号であり、Ｎ（１）ＰＵＣＣＨはより上位レイヤーによって構成され、」は、「前記ＡＣＫ／ＮＡＣＫ情報は、前記サブフレームｎにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースを用いて前記２つのアンテナポートのうちの一方のアンテナポート（アンテナポートｐ０）を通して、および、第２のＰＵＣＣＨリソースを用いて前記２つのアンテナポートのうちの他方のアンテナポート（アンテナポートｐ１）を通して、伝送され、第１のＰＵＣＣＨリソース＝ｎＣＣＥ＋Ｎ（１）ＰＵＣＣＨであり、第２のＰＵＣＣＨリソース＝ｎＣＣＥ＋１＋Ｎ（１）ＰＵＣＣＨであり、ｎＣＣＥは、前記ＰＤＣＣＨのＣＣＥ（Ｃｏｎｔｒｏｌ　Ｃｈａｎｎｅｌ　Ｅｌｅｍｅｎｔ）インデックスの中の最も低いＣＣＥインデックスであり、Ｎ（１）ＰＵＣＣＨは、上位レイヤーによって設定され、」の点で本願発明と共通する。
（６）　引用発明の「サブフレームｎから始めてＮＡＮＲｅｐ個の連続した上りサブフレームのうちの最初の１回目以外の上りサブフレーム」は本願発明の「サブフレームｎ＋１〜サブフレームｎ＋Ｎｒｅｐ−１の各々」に相当し、引用発明の「ｐ＝ｐ０に対するＰＵＣＣＨリソースｎ（１，ｐ＝ｐ０）ＰＵＣＣＨ，ＡＮＲｅｐ」と「ｐ＝ｐ１に対するＰＵＣＣＨリソースｎ（１，ｐ＝ｐ１）ＰＵＣＣＨ，ＡＮＲｅｐ」を「第３のＰＵＣＣＨリソース」、「第４のＰＵＣＣＨリソース」と称することは任意である。
　したがって、引用発明の「ＡＣＫ／ＮＡＣＫ応答は、ＦＤＤの場合、サブフレームｎから始めてＮＡＮＲｅｐ個の連続した上りサブフレームのうちの最初の１回目以外の上りサブフレームにおいて、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを用いて伝送され、ｐ＝ｐ０に対するＰＵＣＣＨリソースｎ（１，ｐ＝ｐ０）ＰＵＣＣＨ，ＡＮＲｅｐとｐ＝ｐ１に対するＰＵＣＣＨリソースｎ（１，ｐ＝ｐ１）ＰＵＣＣＨ，ＡＮＲｅｐを上位レイヤーによって設定される」は、「前記ＡＣＫ／ＮＡＣＫ情報は、サブフレームｎ＋１〜サブフレームｎ＋Ｎｒｅｐ−１の各々において、第３のＰＵＣＣＨリソースを用いて前記アンテナポートｐ０を通して、および、第４のＰＵＣＣＨリソースを用いて前記アンテナポートｐ１を通して、伝送され、第３のＰＵＣＣＨリソース、第４のＰＵＣＣＨリソースは、前記ＡＣＫ／ＮＡＣＫ反復情報によって、それぞれ、前記アンテナポートｐ０、前記アンテナポートｐ１に対して設定される」の点で本願発明と共通する。
　以上を総合すると、本願発明と引用発明とは、以下の点で一致し、また、相違している。
（一致点）
「　無線通信システムにおいてユーザー機器によってＡＣＫ／ＮＡＣＫ（ＡＣＫｎｏｗｌｅｄｇｅｍｅｎｔ／Ｎｅｇａｔｉｖｅ　ＡＣＫ）情報を伝送する方法であって、前記方法は、
　ＡＣＫ／ＮＡＣＫ反復情報を受信することと、
　サブフレームｎ−４においてＰＤＣＣＨ（Ｐｈｙｓｉｃａｌ　Ｄｏｗｎｌｉｎｋ　Ｃｏｎｔｒｏｌ　ＣＨａｎｎｅｌ）を受信することと、
　サブフレームｎから始めてＮｒｅｐ個の連続したサブフレームの各々において２つのアンテナポートを通して前記ＰＤＣＣＨに関連付けられた前記ＡＣＫ／ＮＡＣＫ情報を伝送することであって、Ｎｒｅｐは、１よりも大きい整数である、ことと
　を含み、
　前記ＡＣＫ／ＮＡＣＫ情報は、前記サブフレームｎにおいて、第１のＰＵＣＣＨ（Ｐｈｙｓｉｃａｌ　Ｕｐｌｉｎｋ　Ｃｏｎｔｒｏｌ　ＣＨａｎｎｅｌ）リソースを用いて前記２つのアンテナポートのうちの一方のアンテナポート（アンテナポートｐ０）を通して、および、第２のＰＵＣＣＨリソースを用いて前記２つのアンテナポートのうちの他方のアンテナポート（アンテナポートｐ１）を通して、伝送され、第１のＰＵＣＣＨリソース＝ｎＣＣＥ＋Ｎ（１）ＰＵＣＣＨであり、第２のＰＵＣＣＨリソース＝ｎＣＣＥ＋１＋Ｎ（１）ＰＵＣＣＨであり、ｎＣＣＥは、前記ＰＤＣＣＨのＣＣＥ（Ｃｏｎｔｒｏｌ　Ｃｈａｎｎｅｌ　Ｅｌｅｍｅｎｔ）インデックスの中の最も低いＣＣＥインデックスであり、Ｎ（１）ＰＵＣＣＨは、上位レイヤーによって設定され、
　前記ＡＣＫ／ＮＡＣＫ情報は、サブフレームｎ＋１〜サブフレームｎ＋Ｎｒｅｐ−１の各々において、第３のＰＵＣＣＨリソースを用いて前記アンテナポートｐ０を通して、および、第４のＰＵＣＣＨリソースを用いて前記アンテナポートｐ１を通して、伝送され、第３のＰＵＣＣＨリソース、第４のＰＵＣＣＨリソースは、前記ＡＣＫ／ＮＡＣＫ反復情報によって、それぞれ、前記アンテナポートｐ０、前記アンテナポートｐ１に対して設定される、方法。」
（相違点）
　一致点の「第１のＰＵＣＣＨリソース」、「第２のＰＵＣＣＨリソース」、「第３のＰＵＣＣＨリソース」、「第４のＰＵＣＣＨリソース」について、本願補正発明では「ｎ（１）ＰＵＣＣＨ，１」、「ｎ（１）ＰＵＣＣＨ，２」、「ｎ（１）ＰＵＣＣＨ，３」、「ｎ（１）ＰＵＣＣＨ，４」であるのに対し、引用発明では「ｎ（１，ｐ＝ｐ０）ＰＵＣＣＨ」、「ｎ（１，ｐ＝ｐ１）ＰＵＣＣＨ」、「ｎ（１，ｐ＝ｐ０）ＰＵＣＣＨ，ＡＮＲｅｐ」と「ｎ（１，ｐ＝ｐ１）ＰＵＣＣＨ，ＡＮＲｅｐ」である点。
　そうすると、両者は上記相違点のみ相違するが、上記「第２　平成３０年６月２９日にされた手続補正についての補正の却下の決定」の項中の「２．補正の適否」の「（２）独立特許要件」の「イ　特許法第２９条第２項について」の「（ウ）対比及び判断」の「相違点２」で検討したとおりであるから、本願発明は引用発明に基づいて当業者が容易に発明をすることができたものである。
第４　むすび 
　以上のとおり、本願発明は、特許法第２９条第２項の規定により特許を受けることができないから、他の請求項に係る発明について検討するまでもなく、本願は拒絶されるべきものである。 
　よって、結論のとおり審決する。